(57)【要約】      （修正有）【課題】駆動効率を向上し、全体素子数を減少させて発熱及び電力消耗を減らすことができるプラズマディスプレイ装置、その駆動方法及びアドレス駆動回路モジュールを提供する。【解決手段】プラズマディスプレイ装置のアドレス駆動回路モジュールは、アドレス電圧が入力される第１電源入力端、基底電圧が入力される第２電源入力端、外部インダクターを接続するための接続端子及び第１電源入力端及び第２電源入力端に入力された電圧、外部インダクター及びパネルキャパシターとの共振を通じてアドレス電圧で立ち上がるパルス及びアドレス電圧から立ち下がるパルスが出力される出力端子を含む。【選択図】図４
2007065674.tif 000002
【特許請求の範囲】
【請求項１】
アドレス電圧が入力される第１電源入力端と、
基底電圧が入力される第２電源入力端と、
外部インダクターを接続するための接続端子と、
前記第１電源入力端及び前記第２電源入力端に入力された電圧、前記外部インダクター及びパネルキャパシターとの共振を通じて前記アドレス電圧まで立ち上がるパルス及び前記アドレス電圧から立ち下がるパルスが出力される出力端子と、
を含むことを特徴とするプラズマディスプレイ装置のアドレス駆動回路モジュール。
【請求項２】
前記アドレス駆動回路モジュールは単一集積回路（ＩＣ）に集積されることを特徴とする、請求項１記載のプラズマディスプレイ装置のアドレス駆動回路モジュール。
【請求項３】
放電セルに等価的に形成されるパネルキャパシターと、
前記パネルキャパシターに充電電圧を供給することと共に前記パネルキャパシターから放電電圧を回収する外部キャパシターと、
前記パネルキャパシターと共振回路を形成する外部インダクターと、
前記外部インダクターと前記パネルキャパシターの間に接続されて前記パネルキャパシターに充電電圧を供給して、前記パネルキャパシターから放電電圧を回収して、アドレス電圧及び基底電圧を供給するアドレス駆動回路モジュール(データ集積回路部)と
を含むことを特徴とするプラズマディスプレイ装置。 
【請求項４】
前記アドレス駆動回路モジュールは単一集積回路に集積されることを特徴とする、請求項３記載のプラズマディスプレイ装置。
【請求項５】
前記外部インダクターの一端は前記アドレス駆動回路モジュールに繋がれて、前記外部インダクターの他端は前記外部キャパシターの一端に繋がれて、前記外部キャパシターの他端は基底電位に繋がれることを特徴とする、請求項４記載のプラズマディスプレイ装置。
【請求項６】
前記アドレス駆動回路モジュールは
前記外部インダクターを通じて前記充電電圧及び前記放電電圧を供給/回収する充放電経路を形成する充放電制御部と、
前記パネルキャパシターに前記アドレス電圧及び前記基底電圧が供給されるように所定制御信号によってターンオン/オフされるスイチング部と
を含むことを特徴とする、請求項４記載のプラズマディスプレイ装置。 
【請求項７】
前記充放電制御部は第１スイッチ及び第２スイッチを含み、
前記外部キャパシターに充電された電圧を前記パネルキャパシターに供給する充電経路を形成して、
前記パネルキャパシターに供給された電圧を前記外部キャパシターに回収する放電経路を形成することを特徴とする、請求項６記載のプラズマディスプレイ装置。
【請求項８】
前記スイチング部は
前記パネルキャパシターにアドレス電圧を供給するための第３スイッチ及び第４スイッチと、
前記パネルキャパシターに基底電圧を供給するための第５スイッチを含むことを特徴とする、請求項７記載のプラズマディスプレイ装置。
【請求項９】
前記充電経路は前記外部インダクター、前記第１スイッチ及び前記第４スイッチを経て形成されて、
前記放電経路は前記外部インダクター、前記第２スイッチ及び前記第４スイッチを経て形成されて、
前記アドレス駆動回路モジュールの出力端子は前記第４スイッチ及び前記第５スイッチの間に繋がれることを特徴とする、請求項８記載のプラズマディスプレイ装置。
【請求項１０】
前記第３スイッチは前記充電経路を通じて前記パネルキャパシターに前記充電電圧を供給した後ターンオンされて、
前記第５スイッチは前記放電経路を通じて前記パネルキャパシターに供給された電圧を回収した後ターンオンされることを特徴とする、請求項９記載のプラズマディスプレイ装置。
【請求項１１】
前記充電経路は前記外部インダクター、前記第１スイッチ及び前記第４スイッチを経て形成されて、
前記放電経路は前記外部インダクター、前記第２スイッチを経て形成されて、
前記アドレス駆動回路モジュールの出力端子は前記第４スイッチ及び前記第５スイッチの間に繋がれることを特徴とする、請求項８記載のプラズマディスプレイ装置。
【請求項１２】
前記第３スイッチは前記充電経路を通じて前記パネルキャパシターに前記充電電圧を供給した後ターンオンされて、
前記第５スイッチは前記放電経路を通じて前記パネルキャパシターに供給された電圧を回収した後ターンオンされることを特徴とする、請求項１１記載のプラズマディスプレイ装置。
【請求項１３】
前記充放電制御部は第１スイッチ及び第２スイッチを含み、
前記外部キャパシターに充電された電圧を前記パネルキャパシターに供給する充電経路と前記パネルキャパシターに供給された電圧を前記外部キャパシターに回収する放電経路は等しいことを特徴とする、請求項６記載のプラズマディスプレイ装置。
【請求項１４】
前記第１スイッチ及び前記第２スイッチはそれぞれボディーダイオードを含み、
前記第１スイッチのボディーダイオードのカソード端と前記第２スイッチのボディーダイオードのカソード端とが互いに接続されることを特徴とする、請求項７記載のプラズマディスプレイ装置。 
【請求項１５】
前記スイチング部は
前記パネルキャパシターに前記アドレス電圧を供給するための第３スイッチ及び前記パネルキャパシターに前記基底電圧を供給するための第４スイッチを含み、
前記アドレス駆動回路モジュールの出力端子は前記第３スイッチ及び前記第４スイッチの間に繋がれることを特徴とする、請求項１３記載のプラズマディスプレイ装置。 
【請求項１６】
前記第３スイッチは前記充電経路を通じて前記パネルキャパシターに前記充電電圧を供給した後ターンオンされて、
前記第４スイッチは前記放電経路を通じて前記パネルキャパシターに供給された電圧を回収した後ターンオンされることを特徴とする、請求項１５記載のプラズマディスプレイ装置。
【請求項１７】
請求項１に記載したアドレス駆動回路モジュールを利用したプラズマディスプレイ装置の駆動方法において、
前記アドレス電圧に立ち上がるパルスを前記出力端子を通じてアドレス電極に出力する段階と、
前記アドレス電圧から立ち下がるパルスを前記出力端子を通じて前記アドレス電極に出力する段階と、
前記第１電源入力端を通じて入力された前記アドレス電圧を前記出力端子を通じて前記アドレス電極に出力する段階と、
前記第２電源入力端を通じて入力された前記基底電圧を前記出力端子を通じて前記アドレス電極に出力する段階を含むプラズマディスプレイ装置の駆動方法。
【請求項１８】
前記アドレス電圧まで立ち上がるパルス及び前記アドレス電圧から立ち下がるパルスは前記接続端子を通じて入力されることを特徴とする、請求項１７記載のプラズマディスプレイ装置の駆動方法。
【発明の詳細な説明】
【技術分野】
【０００１】
本発明はプラズマディスプレイ装置に関し、さらに詳くはプラズマディスプレイ装置、その駆動方法及びアドレス駆動回路モジュールに関する。
【背景技術】
【０００２】
一般的にディスプレイ装置の内プラズマディスプレイ装置はプラズマディスプレイパネルとプラズマディスプレイパネルを駆動するための駆動部を含む。
【０００３】
一般的にプラズマディスプレイパネルは前面パネルと背面パネルの間に形成された隔壁が一つの放電セルを成すことで、各放電セル内にはネオン（Ｎｅ）、ヘリウム（Ｈｅ）またはネオン及びヘリウムの混合気体（Ｎｅ+Ｈｅ）のような主放電気体と少量のキセノン（Ｘｅ）を含む不活性ガスが充填されている。 
【０００４】
このような放電セルが複数個が集まって一つのピクセル（Ｐｉｘｅｌ）を成す。例えば赤色（Ｒｅｄ、Ｒ）放電セル、緑色（Ｇｒｅｅｎ、Ｇ）放電セル、青色（Ｂｌｕｅ、Ｂ）放電セルが集まって一つのピクセルを成すのである。 
【０００５】
そしてこのようなプラズマディスプレイパネルは高周波電圧によって放電される時、不活性ガスは真空紫外線（ＶａｃｕｕｍＵｌｔｒａｖｉｏｌｅｔ ｒａｙｓ）を発生して隔壁の間に形成された蛍光体を発光させて画像が具現される。 このようなプラズマディスプレイパネルは薄く軽い構成が可能なので次世代表示装置として脚光を浴びている。
【０００６】
図１は一般的なプラズマディスプレイ装置の内でプラズマディスプレイパネルの構造を示す分解斜視図である。
【０００７】
図１を参照すれば、各放電セルは上部基板１上に形成されたスキャン/サステイン電極２Ｙ及び共通サステイン電極２Ｚ、下部基板１０上に形成されたアドレス電極２Ａを備える。 
【０００８】
スキャン/サステイン電極２Ｙと共通サステイン電極２Ｚは通常インジウム-ティン-オキサイド（Ｉｎｄｉｕｍ−Ｔｉｎ−Ｏｘｉｄｅ:以下‘ＩＴＯ'という)から成り、これらの高い抵抗特性による電圧降下を減らすために、これらの上には通常クロム（Ｃｒ）などの金属からなるバス電極３がそれぞれ形成される。
【０００９】
スキャン/サステイン電極２Ｙと共通サステイン電極２Ｚが並んで形成された上部基板１には上部誘電体層４と保護膜５が積層される。保護膜５はプラズマ放電の時発生されたスパッタリングによる上部誘電体層４の損傷を防止することと共に２次電子の放出効率を高めるために通常酸化マグネシウム（ＭｇＯ）から成る。
【００１０】
アドレス電極２Ａが形成された下部基板９上には下部誘電体層８及び隔壁６が形成されて、下部誘電体層８と隔壁６表面には蛍光体７が塗布される。
【００１１】
アドレス電極２Ａはスキャン/サステイン電極２Ｙ及び共通サステイン電極２Ｚと垂直である方向に形成されて、隔壁６はアドレス電極２Ａと平行な方向に形成されて放電によって生成された紫外線及び可視光が隣接した放電セルに漏洩することを防止する。
【００１２】
蛍光体７はプラズマ放電時発生された紫外線によって励起されて、赤色（Ｒ）、緑色（Ｇ）または青色（Ｂ）の内いずれか一つの可視光線を発生するようになる。上部基板１及び下部基板９と隔壁６によって提供される放電空間には、ガス放電のためのＮｅ+Ｘｅペニングガスなどが封入される。 
【００１３】
図２は図１に示す 一般的なプラズマディスプレイ装置の内でプラズマディスプレイパネルの電極ライン及び放電セルの配置構造を示す平面図である。
【００１４】
図２を参照すれば、一般的なプラズマディスプレイ装置はｍ×ｎ個の放電セル２０がスキャン/サステイン電極ライン（Ｙ１乃至Ｙｍ）、共通サステイン電極ライン（Ｚ１乃至Ｚｍ）及びアドレス電極ライン（Ｘ１乃至Ｘｎ）と接続されるようにマトリックス形態に配置されたプラズマディスプレイパネル２１と、スキャン/サステイン電極ライン（Ｙ１乃至Ｙｍ）を駆動するためのスキャン/サステイン駆動部２２と、共通サステイン電極ライン（Ｚ１乃至Ｚｍ）を駆動するための共通サステイン駆動部２３と、アドレス電極ライン（Ｘ１乃至Ｘｎ）を駆動するためのアドレス駆動部２４と、外部からの表示データ（Ｄ）、水平同期信号（Ｈ）、垂直同期信号（Ｖ）、クロック信号などを基礎にして各駆動回路に制御信号を供給する制御回路部２５を含む。
【００１５】
スキャン/サステイン駆動部２２は、スキャン/サステイン電極ライン（Ｙ１乃至Ｙｍ）に全放電セルの初期状態を均一にさせるためのリセットパルス、 放電セルを選択するためのスキャン(アドレス)パルス及び放電回数に従って階調を具現するサステインパルスを順次に供給して放電セル２０がライン単位に順に走査されるようにすることと共にｍ×ｎ個の放電セル２０それぞれでの放電を持続するようにする。 
【００１６】
共通サステイン駆動部２３は共通サステイン電極ライン（Ｚ１乃至Ｚｍ）皆にスキャン/サステイン電極ライン（Ｙ１乃至Ｙｍ）に供給されるサステインパルスと交互するサステインパルスを供給して選択されたセルに対してサステイン放電を起こす。
【００１７】
アドレス駆動部２４はスキャン/サステイン電極ライン（Ｙ１乃至Ｙｍ）に供給されるスキャンパルスに同期化されたスキャンパルスを供給して放電するセルを選択する役目をする。
【００１８】
このように駆動される一般的なプラズマディスプレイパネルではアドレス放電及びサステイン放電に数百ボルト以上の高圧が必要される。
【００１９】
したがって駆動電力を最小化することが必要であり、スキャン/サステイン駆動部２２ 及び共通サステイン駆動部２３にエネルギー回収回路を採択するのが一般的で、このようなエネルギー回収回路はスキャン/サステイン電極ラインと共通サステイン電極ラインに充電される電荷を回収して次の週期の駆動のために再利用するようにする機能をする。
【００２０】
一方、最近にはアドレス駆動部２４にもエネルギー回収回路を採択してアドレス電極ラインの間に充電される電荷を回収してこれを次の週期の駆動のために再利用することでデータＩＣの駆動効率を高めているのに、このようなエネルギー回収回路を含む一般的なプラズマディスプレイパネルでのアドレス駆動部２４を図３に示す。
【００２１】
図３は一般的なプラズマディスプレイ装置のエネルギー回収回路を含むアドレス駆動部の構成を概略的に示す図である。
【００２２】
図３を参照すれば、一般的なプラズマディスプレイ装置のアドレス駆動部２２は、エネルギー回収回路３１、アドレス電極ラインに直接繋がれて単一集積回路形態になったデータIC３０、アドレス期間に供給される制御信号によって切り替えさせることによってアドレス電圧（Ｖａ）及び基底電圧（ＧＮＤ）をデータＩＣ３０に供給するための第３及び第４スイッチ（Ｓ３、Ｓ４）を含む。
【００２３】
前記図面及び以下の図面にはスイッチを単純なスイッチの形態に示すこともあるが、他に定義する場合を除きボディーダイオードを含むトランジスターを簡略化して表現している事に留意する。
【００２４】
データＩＣ３０はプッシュプル形態で電源端子(Ｖｄｄ）を通じて第３及び第４スイッチ（Ｓ３、Ｓ４）及びエネルギー回収回路３１に接続されて、図示省略した電源供給手段から電源端子(Ｖｄｄ）を通じて供給されるアドレス電圧（Ｖａ）または基底電圧（ＧＮＤ）を出力させるためのスイッチ（ＱＨ、ＱＬ）で構成されて、データＩＣ３０の出力はアドレス電極ラインに接続される。
【００２５】
エネルギー回収回路３１は、データＩＣ３０と第３及び第４スイッチにその一方端が繋がれたインダクター（Ｌ）と、エネルギー回収用キャパシター（Ｃｓ）の一方端とインダクター（Ｌ）の他方端の間に並列に接続された第１及び第２スイッチ（Ｓ１、Ｓ２）及びこれらの逆電流を防止するための第１及び第２ダイオード（Ｄ１、Ｄ２）を備える。パネルキャパシター（Ｃｐ）はアドレス電極ラインなどのパネルの構造物の間に形成される等価的な静電容量を示す。 
【００２６】
前記一般的なプラズマディスプレイ装置の内でアドレス駆動部のアドレス期間の間のエネルギー回収回路３１の動作を説明すれば次のようである。
【００２７】
先ずアドレス電極２Ａ間に充電された電圧、すなわちパネルキャパシター（Ｃｐ）に充電された電圧（Ｖｐ）は０ボルトと仮定して、エネルギー回収用キャパシター（Ｃｓ）にはＶａ/２の電圧が充電されていると仮定する。 
【００２８】
放電セルが選択されない場合第５スイッチ（ＱＨ）はターンオフ状態を維持するはずであり、放電セルが選択される場合第１スイッチ（Ｓ１）及び第５スイッチ（ＱＨ）がターンオンされる。
【００２９】
第１スイッチ（Ｓ１）及び第５スイッチ（ＱＨ）がターンオンされればエネルギー回収用キャパシター（Ｃｓ）から第１スイッチ（Ｓ１）、第１ダイオード（Ｄ１）、インダクター（Ｌ）、第５スイッチ（ＱＨ）及びパネルキャパシター（Ｃｐ）につながる充電経路が形成される。
【００３０】
この時、インダクター（Ｌ）とパネルキャパシター（Ｃｐ）は直列共振回路を形成して、エネルギー回収用キャパシター（Ｃｓ）にＶａ/２の電圧が充電されているから、直列共振回路でインダクター（Ｌ）の充/放電によってパネルキャパシター（Ｃｐ）に出力される電圧はエネルギー回収用キャパシター（Ｃｓ）電圧の二倍であるＶａまで立ち上がるようになる。
【００３１】
この時、第１スイッチ（Ｓ１）がターンオフされて第３スイッチ（Ｓ３）がターンオンされてアドレス電圧（Ｖａ）がパネルキャパシター（Ｃｐ）に供給される。
【００３２】
一定期間アドレス電極２Ａに供給されるアドレス電圧（Ｖａ）は、パネルキャパシター（Ｃｐ）の電圧（Ｖｐ）が前記一定期間の間アドレス電圧（Ｖａ）以下に落ちることを防止してアドレス放電が正常に起きるようにした後、第３スイッチ（Ｓ３）がターンオフされることと共に第２スイッチ（Ｓ２）がターンオンされる。
【００３３】
第２スイッチ（Ｓ２）がターンオンされればデータＩＣ３０からインダクター（Ｌ）、第２ダイオード（Ｄ２）、第２スイッチ（Ｓ２）及びエネルギー回収用キャパシター（Ｃｓ）につながる放電経路が形成されてパネルキャパシター（Ｃｐ）の電圧（Ｖｐ）は立ち下がるようになって、これと同時にエネルギー回収用キャパシター（Ｃｓ）にＶａ/２の電圧まで充電される。 
【００３４】
エネルギー回収用キャパシター（Ｃｓ）が Ｖａ/２の電圧まで充電された後第２スイッチ（Ｓ２）がターンオフされることと共に第４スイッチ（Ｓ４）がターンオンされる。
【００３５】
第４スイッチ（Ｓ４）がターンオンされれば、パネルキャパシター（Ｃｐ）の電圧（Ｖｐ）は基底電圧（ＧＮＤ）を維持するようになる。実際アドレス電極に供給されるアドレスパルスはスキャン/サステイン駆動部２２によるスキャンパルスと同期されるように提供されて、したがってエネルギー回収回路３１によってアドレス期間の間の消費電力を減らすことができてデータＩＣの駆動効率を高めることができるようになる。
【００３６】
上述したところのように一般的なプラズマディスプレイ装置の内でアドレス駆動部２４によればデータＩＣ３０を駆動するためにエネルギー回収回路３１がデータＩＣ３０の外部に設計されて、エネルギー回収回路３１によるエネルギーの回収及び供給動作がデータＩＣ３０の電源（Ｖｄｄ）端子を通じて行われて来たことが分かる。
【００３７】
しかし、上述した一般的なプラズマディスプレイ装置の内でアドレス駆動部はエネルギー回収回路をデータＩＣの外部に設置するから、回路が複雑で素子数が多くて発熱及び電力消耗が増加するだけでなく、インダクターを駆動回路内に含んでいるから駆動回路を単一ＩＣで集積するには適合しないという問題点がある。
【発明の開示】
【発明が解決しようとする課題】
【００３８】
本発明の目的は、駆動効率が向上して全体素子数を減少させて発熱及び電力消耗を減らすことができるプラズマディスプレイ装置を提供することにある。
【課題を解決するための手段】
【００３９】
本発明の一つの実施形態によるプラズマディスプレイ装置のアドレス駆動回路モジュールは、アドレス電圧が入力される第１電源入力端、基底電圧が入力される第２電源入力端、外部インダクターを接続するための接続端子及び前記第１電源入力端及び前記第２電源入力端に入力された電圧、前記外部インダクター及びパネルキャパシターとの共振を通じて前記アドレス電圧に立ち上がるパルス及び前記アドレス電圧から立ち下がるパルスが出力される出力端子を含む。
【００４０】
前記アドレス駆動回路モジュールは単一集積回路（ＩＣ）に集積されることが望ましい。 
【００４１】
本発明の他の一つの実施形態によるプラズマディスプレイ装置は、放電セルに等価的に形成されるパネルキャパシター、前記パネルキャパシターに充電電圧を供給することと共に前記パネルキャパシターから放電電圧を回収する外部キャパシター、前記パネルキャパシターと共振回路を形成する外部インダクター、前記外部インダクターと前記パネルキャパシターの間に接続されて前記パネルキャパシターに充電電圧を供給して、前記パネルキャパシターから放電電圧を回収して、アドレス電圧及び基底電圧を供給するアドレス駆動回路モジュールを含む。 
【００４２】
前記アドレス駆動回路モジュールは単一集積回路に集積されることが望ましい。
【００４３】
前記外部インダクターの一端は、前記アドレス駆動回路モジュールに繋がれて、前記外部インダクターの他端は前記外部キャパシターの一端に繋がれて、前記外部キャパシターの他端は基底電位に繋がれるのが望ましい。
【００４４】
前記アドレス駆動回路モジュールは、前記外部インダクターを通じて前記充電電圧及び前記放電電圧を供給/回収する充放電経路を形成する充放電制御部及び前記パネルキャパシターに前記アドレス電圧及び前記基底電圧が供給されるように所定制御信号によってターンオン/オフされるスイチング部を含む。 
【００４５】
前記充放電制御部は第１スイッチ及び第２スイッチを含み、前記外部キャパシターに充電された電圧を前記パネルキャパシターに供給する充電経路を形成して、前記パネルキャパシターに供給された電圧を前記外部キャパシターに回収する放電経路を形成するのが望ましい。
【００４６】
前記スイチング部は前記パネルキャパシターにアドレス電圧を供給するための第３スイッチ及び第４スイッチ及び前記パネルキャパシターに基底電圧を供給するための第５スイッチを含む。
【００４７】
前記充電経路は、前記外部インダクター、前記第１スイッチ及び前記第４スイッチを経て形成されて、前記放電経路は前記外部インダクター、前記第２スイッチ及び前記第４スイッチを経って形成されて、前記アドレス駆動回路モジュールの出力端子は前記第４スイッチ及び前記第５スイッチの間に繋がれるのが望ましい。
【００４８】
前記第３スイッチは前記充電経路を通じて前記パネルキャパシターに前記充電電圧を供給した後ターンオンされて、前記第５スイッチは前記放電経路を通じて前記パネルキャパシターに供給された電圧を回収した後ターンオンされることが望ましい。
【００４９】
前記充電経路は前記外部インダクター、前記第１スイッチ及び前記第４スイッチを経て形成されて、前記放電経路は前記外部インダクター、前記第２スイッチを経て形成されて、前記アドレス駆動回路モジュールの出力端子は前記第４スイッチ及び前記第５スイッチの間に繋がれるのが望ましい。
【００５０】
前記第３スイッチは前記充電経路を通じて前記パネルキャパシターに前記充電電圧を供給した後ターンオンされて、前記第５スイッチは前記放電経路を通じて前記パネルキャパシターに供給された電圧を回収した後ターンオンされることが望ましい。
【００５１】
前記充放電制御部は第１スイッチ及び第２スイッチを含み、前記外部キャパシターに充電された電圧を前記パネルキャパシターに供給する充電経路と前記パネルキャパシター  に供給された電圧を前記外部キャパシターに回収する放電経路は等しいのが望ましい。 
【００５２】
前記第１スイッチ及び前記第２スイッチはそれぞれボディーダイオードを含み、前記第１スイッチのボディーダイオードのカソード端と前記第２スイッチのボディーダイオードのカソード端とが互いに接続されることが望ましい。
【００５３】
前記スイチング部は前記パネルキャパシターに前記アドレス電圧を供給するための第３スイッチ及び前記パネルキャパシターに前記基底電圧を供給するための第４スイッチを含み、前記アドレス駆動回路モジュールの出力端子は前記第３スイッチ及び前記第４スイッチの間に繋がれるのが望ましい。
【００５４】
前記第３スイッチは前記充電経路を通じて前記パネルキャパシターに前記充電電圧を供給した後ターンオンされて、前記第４スイッチは前記放電経路を通じて前記パネルキャパシターに供給された電圧を回収した後ターンオンされることが望ましい。
【００５５】
本発明のまた他の一つの実施形態によるプラズマディスプレイ装置の駆動方法は、前記アドレス電圧まで立ち上がるパルスを前記出力端子を通じてアドレス電極に出力する段階、前記アドレス電圧から立ち下がるパルスを前記出力端子を通じて前記アドレス電極に出力する段階、前記第１電源入力端を通じて入力された前記アドレス電圧を前記出力端子を通じて前記アドレス電極に出力する段階及び前記第２電源入力端を通じて入力された前記基底電圧を前記出力端子を通じて前記アドレス電極に出力する段階を含む。
【００５６】
前記アドレス電圧に立ち上がるパルス及び前記アドレス電圧から立ち下がるパルスは前記接続端子を通じて入力されることが望ましい。
【発明の効果】
【００５７】
本発明は、エネルギー回収回路及びデータＩＣの一部回路が統合されて構成されることができるから全体素子の個数及びこれによるモジュールの発熱を減少させることができて簡単ながらも駆動効率が向上された回路構成が可能である。
【００５８】
また、エネルギー回収回路内のインダクターを駆動回路モジュールの外部に配置することができるから、能動デバイスだけで駆動回路モジュールを構成することができて単一ＩＣで集積するのに適合する回路構成を提供することができる。
【発明を実施するための最良の形態】
【００５９】
以下では本発明の一つの実施形態による具体的な実施形態を添付された図面を参照して説明する。
【００６０】
図４は本発明の一つの実施形態によるプラズマディスプレイ装置の内でアドレス駆動回路モジュールの構成を示す図である。
【００６１】
図４を参照すれば、本発明の一つの実施形態によるプラズマディスプレイ装置の内でアドレス駆動回路モジュール４０は、並列に接続された第１及び第２スイッチ（Ｓ１、Ｓ２）及びこれらの間の逆電流を防止するための第１及び第２ダイオード（Ｄ１、Ｄ２）からなる充放電制御部４５と、前記充放電制御部４５の第１及び第２ダイオード（Ｄ１、Ｄ２）の間に繋がれてアドレス電極ラインにアドレス電圧（Ｖａ）を印加するための第３スイッチ及び第４スイッチ（Ｓ３、ＱＨ）及び第４スイッチ（ＱＨ）に繋がれてアドレス電極ラインに基準電圧（ＧＮＤ）を印加するための第５スイッチ（ＱＬ）からなるスイチング部４６とを含む。本発明の一つの実施形態によるプラズマディスプレイ装置の内でアドレス駆動回路モジュールの第４スイッチ（ＱＨ）は後述するのようにパネルキャパシター（Ｃｐ）との充/放電経路を形成する役目もまた遂行する。 
【００６２】
また本発明の一つの実施形態によるプラズマディスプレイ装置の内でアドレス駆動回路モジュール４０は、第４及び第５スイッチ（ＱＨ、ＱＬ）の間に繋がれてアドレス電極ラインにアドレス電圧（Ｖａ）または基準電圧（ＧＮＤ）を選択的に供給するための出力端子４１、エネルギー回収用キャパシター（Ｃｓ）とインダクター（Ｌ）が直列で繋がれた外部エネルギー回収に前記充放電制御部４５を接続させるための接続端子４２、アドレス期間の間アドレス電圧（Ｖａ）及び基準電圧（ＧＮＤ）を供給するための電源供給手段（図示せず）に繋がれる第１電源入力端４３及び第２電源入力端４４を含む。
【００６３】
図５は本発明の一つの実施形態によるプラズマディスプレイ装置の内でアドレス駆動回路モジュールを利用したアドレス期間の間のスイッチのオン/オフタイミングとパネルキャパシター（Ｃｐ）の出力波形を示すタイミング図及び波形図である。 
【００６４】
図４及び図５を参照すれば、本発明の一つの実施形態によるプラズマディスプレイ装置の内でアドレス駆動回路モジュールのアドレス期間の間の動作過程は次のようである。
【００６５】
先ず、Ｔ１期間以前にアドレス電極２Ａの間に充電された電圧、すなわちパネルキャパシター（Ｃｐ）に充電された電圧（Ｖｐ）は０ボルトと仮定して、外部キャパシター（Ｃｓ）にはＶａ/２の電圧が充電されていると仮定する。 
【００６６】
Ｔ１期間には第１スイッチ（Ｓ１）及び第４スイッチ（ＱＨ）がターンオンされて第５スイッチ（ＱＬ）がターンオフされる。この時放電セルが選択される場合第４スイッチ（ＱＨ）及び第５スイッチ（ＱＬ）はそれぞれターンオフ状態及びターンオン状態を維持するようになる。
【００６７】
第１スイッチ（Ｓ１）及び第４スイッチ（ＱＨ）がターンオンされて第５スイッチ（ＱＬ）がターンオフされれば、外部キャパシター（Ｃｓ）から外部インダクター（Ｌ１）、第１スイッチ（Ｓ１）、第１ダイオード（Ｄ１）、第４スイッチ（ＱＨ）及び出力端子４１につながる充電経路が形成される。
【００６８】
この時、インダクター（Ｌ）とパネルキャパシター（Ｃｐ）は直列共振回路を形成して、外部キャパシター（Ｃｓ）にＶａ/２の電圧が充電されているから、直列共振回路で外部インダクター（Ｌ１）の電流充/放電によってパネルキャパシター（Ｃｐ）に出力される電圧（Ｖｐ）はエネルギー回収用キャパシター（Ｃｓ）電圧の二倍であるアドレス電圧（Ｖａ）まで立ち上がるようになる。
【００６９】
この時、第３スイッチ（Ｓ３）がターンオンされることと共に第１スイッチ（Ｓ１）がターンオフされてアドレス電圧（Ｖａ）がパネルキャパシター（Ｃｐ）が供給される。パネルキャパシター（Ｃｐ）に供給されるアドレス電圧（Ｖａ）はパネルキャパシター（Ｃｐ）の電圧（Ｖｐ）がアドレス電圧（Ｖａ）以下に落ちることを防止してアドレス放電が正常に起きるようにする。
【００７０】
パネルキャパシター（Ｃｐ）の電圧（Ｖｐ）がアドレス電圧（Ｖａ）で一定時間（Ｔ２）間維持された後、Ｔ３期間に第３スイッチ（Ｓ３）がターンオフされることと共に第２スイッチ（Ｓ２）がターンオンされる。 
【００７１】
第２スイッチ（Ｓ２）がターンオンされれば出力端子４１から第４スイッチ（ＱＨ）、第２ダイオード（Ｄ２）、第２スイッチ（Ｓ２）及び外部インダクター（Ｌ１）を通じて外部キャパシター（Ｃｓ）につながる放電経路が形成されてパネルキャパシター（Ｃｐ）の電圧（Ｖｐ）は立ち下がるようになって、これと同時に外部キャパシター（Ｃｓ）はＶａ/２の電圧まで充電される。 
【００７２】
外部キャパシター（Ｃｓ）にＶａ/２の電圧が充電された後Ｔ４以後の期間には、第２スイッチ（Ｓ２）及び第４スイッチ（ＱＨ）がターンオフされることと共に第５スイッチ（ＱＬ）がターンオンされる。
【００７３】
第５スイッチ（ＱＬ）がターンオンされればパネルキャパシター（Ｃｐ）の電圧（Ｖｐ）は第２電源入力端４４から入力される基準電圧（ＧＮＤ）を維持するようになる。
【００７４】
上述した構成を持つ本発明の一つの実施形態によるプラズマディスプレイ装置の内でアドレス駆動回路モジュール４０によれば、エネルギー回収回路のインダクター（Ｌ１）の結合位置が従来技術のエネルギー回収回路と差があり、第４及び第５スイッチ（ＱＨ、ＱＬ）を通じて従来技術のデータＩＣの機能も遂行可能である。
【００７５】
したがって、本発明の一つの実施形態によるプラズマディスプレイ装置の内でアドレス駆動回路モジュール４０は、従来技術のエネルギー回収回路の一部とデータＩＣを統合して一つのモジュールに設計することができながら、従来技術による第４スイッチ（Ｓ４）の機能をデータＩＣの第５スイッチ（ＱＬ）で取り替えることができるから、従来技術より部品素子の数がそれほど減少されて駆動効率が向上されて発熱による電力消耗が減少される。
【００７６】
また、本発明の一つの実施形態によるプラズマディスプレイ装置の内でアドレス駆動回路モジュール４０によれば、エネルギー回収回路内に含まれるインダクター（Ｌ１）とキャパシター（Ｃｓ）をモジュール外部に配置することができるから、能動デバイスだけでモジュールを構成することができて単一ＩＣで集積するのに適合する回路構成を提供することができる。すなわち、アドレス駆動部において受動素子と能動素子とを区分して能動素子を単一ＩＣで構成することができる。その結果、アドレス駆動部の小型化を図ることができる。
【００７７】
図６は本発明の他の一つの実施形態によるプラズマディスプレイ装置の内でアドレス駆動回路モジュール４０’を示す図である。
【００７８】
図６に示す本発明の他の一つの実施形態によるプラズマディスプレイ装置の内でアドレス駆動回路モジュールは、図４に示す本発明の一つの実施形態によるプラズマディスプレイ装置の内でアドレス駆動回路モジュールを応用して構成されたこととして、一部参照符号は図４に示す参照符号と等しい。
【００７９】
図６を参照すれば、本発明の他の一つの実施形態によるプラズマディスプレイ装置の内でアドレス駆動回路モジュール４０’は、充放電制御部４５’の第１ダイオード（Ｄ１）と第２ダイオード（Ｄ２）が互いに直接繋がれないで、スイチング部４６’の第４スイッチ（ＱＨ）の一方端がスイチング部４６’の第３スイッチ（Ｓ３）及び充放電制御部４５’の第１ダイオード（Ｄ１）に繋がれて、他の方端が充放電制御部４５’の第２ダイオード（Ｄ２）、スイチング部４６’の第５スイッチ（ＱＬ）及び出力端子４１に繋がれる点を除き、図４に示すアドレス駆動回路モジュール４０と等しい構成である。
【００８０】
図７は本発明の他の一つの実施形態によるプラズマディスプレイ装置の内でアドレス駆動回路モジュールを利用したアドレス期間の間のスイッチのオン/オフタイミングとパネルキャパシター（Ｃｐ）の出力波形を示すタイミング図及び波形図である。 
【００８１】
図６及び図７を参照すれば、本発明の他の一つの実施形態によるプラズマディスプレイ装置の内でアドレス駆動回路モジュールのアドレス期間の間の動作過程は、図５に示す本発明の一つの実施形態によるプラズマディスプレイ装置の内でアドレス駆動回路モジュールのアドレス期間の間の動作過程と等しいが、第２スイッチ（Ｓ２）がターンオンされて第３スイッチ（Ｑ３）がターンオフされるＴ３期間に充放電制御部４５’による放電経路は第４スイッチ（ＱＨ）を経らないように形成されることができるから、Ｔ３期間の間第４スイチング手段（ＱＨ）はターンオンされることもできてターンオフされることもできる（ｄｏｎ‘ｔｃａｒｅの状態）回路を構成することができる。 
【００８２】
したがって、図６に示す本発明の他の一つの実施形態によるプラズマディスプレイ装置の内でアドレス駆動回路モジュール４０’によれば充放電制御部４５’によって形成される充電経路及び放電経路を第４スイッチ（ＱＨ）の両端で分離させる。
【００８３】
これによって、アドレス電極からエネルギー回収回路でエネルギーを回収する場合には第４スイッチ（ＱＨ）を通じる放電経路が形成されないで第２ダイオード（Ｄ２）及び第２スイッチ（Ｓ２）のみを放電経路で活用するから、図４に示す本発明の一つの実施形態によるプラズマディスプレイ装置の内でアドレス駆動回路モジュールでよりさらに駆動効率が向上されて発熱による電力消耗が減少されることができる。
【００８４】
図８は本発明のまた他の一つの実施形態によるプラズマディスプレイ装置の内でアドレス駆動回路モジュールの構成を示す図である。図８に示すアドレス駆動回路モジュールは図４及び図６に示すアドレス駆動回路モジュールよりさらに簡単な回路から成るように構成されたこととして、一部の参照符号は図４及び図６に示す参照符号と等しい。
【００８５】
図８を参照すれば、本発明のまた他の一つの実施形態によるプラズマディスプレイ装置の内でアドレス駆動回路モジュール４０”は、ダイオードを省略して第１スイッチ（Ｓ１）及び第２スイッチ（Ｓ２）のみを直列で連結して充放電制御部４５”を構成することと共に、第３スイッチ（ＱＨ）及び第４スイッチ（ＱＬ）で構成されたスイチング部４６”を通じて直接アドレス電圧（Ｖａ）と基準電圧（ＧＮＤ）がそれぞれ印加されるように構成される。
【００８６】
本発明のまた他の一つの実施形態によるプラズマディスプレイ装置の内でアドレス駆動回路モジュール４０”は、従来技術のエネルギー回収回路の充/放電期間の間(すなわち、Ｔ１ 及びＴ３期間中)には、データＩＣがハイやローどこにも繋がれない “高インピーダンス（ｈｉｇｈ ｉｍｐｅｄａｎｃｅ）”の状態なのを利用する構成にあたる。
【００８７】
図９は本発明のまた他の一つの実施形態によるプラズマディスプレイ装置の内でアドレス駆動回路モジュールを利用したアドレス期間の間のスイッチのオン/オフタイミングとパネルキャパシター（Ｃｐ）の出力波形を示すタイミング図及び波形図である。 
【００８８】
図８及び図９を参照すれば、本発明のまた他の一つの実施形態によるプラズマディスプレイ装置の内でアドレス駆動回路モジュールのアドレス期間の間の動作過程は次のようである。
【００８９】
先ず、充放電制御部４５”による充電経路及び放電経路がそれぞれ形成されるT1及びＴ３期間には、直列で繋がれた第１スイッチ（Ｓ１）及び第２スイッチ（Ｓ２）に制御信号として同一信号のオン信号を印加することと共に第４スイッチ（ＱＨ）はターンオフさせるように駆動させることで、図４及び図６に示すアドレス駆動回路モジュールの出力と等しい出力を得ることができる。
【００９０】
したがって図８に示すアドレス駆動回路モジュールによれば図４及び図６に示すアドレス駆動回路モジュールよりスイッチの個数をさらに減少させることができしたがってさらに駆動効率が向上されて発熱による電力消耗が減少されることができる。
【００９１】
本発明の一つの実施形態によるプラズマディスプレイ装置の内でアドレス駆動回路モジュールは、外部インダクター（Ｌ１）が駆動回路モジュールの接続端子４２とエネルギー回収用外部キャパシター（Ｃｓ）に繋がれることで記載したが、本発明の一つの実施形態によるプラズマディスプレイ装置の内でアドレス駆動回路モジュールはここに限定されないし、従来技術のように充放電制御部とスイチング部間に外部インダクターが繋がれるようにもう一つの端子が形成されることもできる。
【００９２】
例えば接続端子４２にはエネルギー回収用キャパシター（Ｃｓ）だけ連結して、図４に示すアドレス駆動回路モジュールの場合別途の２個の端子を用意してこれらに外部インダクター（Ｌ１）を連結することで外部インダクターが第３スイッチ（Ｓ３）及び第４スイッチ（ＱＨ）と充放電制御部と接続されるように構成することができる。言い換えれば、外部インダクターの一端を第１の端子を介して第１ダイオード（Ｄ１）のカソード及び第２ダイオード（Ｄ２）のアノードに接続し、他端を第２の端子を介して第３スイッチ素子（Ｓ３）及び第４スイッチ（ＱＨ）に接続して、第１ダイオード（Ｄ１）が外部インダクター、第４スイッチ（ＱＨ）を介して出力端子４１に接続されるように構成するとともに、出力端子４１が外部インダクターを介して第２ダイオード（Ｄ２）に接続されるように構成しても良い。
【００９３】
また、図６に示すアドレス駆動回路モジュールの場合別途の３個の端子を用意して第３スイッチ素子（Ｓ３）及び第４スイッチ（ＱＨ）と第１ダイオード（Ｄ１）に外部インダクターが接続されるようにすることと共に第２ダイオードと出力端子４１の間にもう一つの外部インダクターが接続されるように構成することができる。言い換えれば、第１の外部インダクターの一端を第１の端子を介して第１ダイオード（Ｄ１）のカソードに接続し、他端を第２の端子を介して第３スイッチ素子（Ｓ３）及び第４スイッチ（ＱＨ）に接続して、第１ダイオード（Ｄ１）が第１の外部インダクター、第４スイッチ（ＱＨ）を介して出力端子４１に接続されるように構成する。また、第２の外部インダクターの一端を第３の端子を介して第２ダイオード（Ｄ２）のアノードに接続し、他端を出力端子４１に接続して、出力端子４１が第２の外部インダクターを介して第２ダイオード（Ｄ２）に接続されるように構成しても良い。
【００９４】
また、図８に示す駆動回路モジュールの場合別途の一つの端子を用意して第２スイッチ（Ｓ２）と出力端子４１に外部インダクターが接続されるように構成されることもできる。言い換えれば、外部インダクターの一端を第１の端子を介して第２スイッチ（Ｓ２）に接続し、他端を出力端子４１に接続して、充放電制御部４５’’と出力端子４１とが外部インダクタを介して接続されるようにしても良い。
【００９５】
このような構成の駆動回路モジュールによれば、たとえモジュールの端子の数が増えることはするが、これによって果たそうとする技術的効果は前記実施形態の場合と等しい。
【００９６】
本発明の一つの実施形態によるプラズマディスプレイ装置の内でアドレス駆動回路モジュールは本発明の技術的思想の範囲の内で多様な形態の変形、応用が可能である。例えば、 実施形態のスイッチはＦＥＴだけでなく、必要によって公知された他のスイッチでも取り替えられることもできる。 
【００９７】
本発明はエネルギー回収回路及びデータＩＣの一部回路が統合されて構成されることができるから全体素子の個数及びこれによるモジュールの発熱を減少させることができて簡単ながらも駆動効率が向上された回路構成が可能である。
【００９８】
また、エネルギー回収回路内のインダクターを駆動回路モジュールの外部に配置することができるから、能動デバイスだけで駆動回路モジュールを構成することができて単一ＩＣで集積するのに適合する回路構成を提供することができる。
【図面の簡単な説明】
【００９９】
【図１】一般的なプラズマディスプレイ装置の内でプラズマディスプレイパネルの構造を示す分解斜視図。
【図２】図１に示すプラズマディスプレイパネルの電極ライン及び放電セルの配置構造を示す平面図。
【図３】一般的なプラズマディスプレイ装置のエネルギー回収回路を含むアドレス駆動部の構成を概略的に示す図。
【図４】本発明の一つの実施形態によるプラズマディスプレイ装置の内でアドレス駆動回路モジュールの構成を示す図。
【図５】本発明の一つの実施形態によるプラズマディスプレイ装置の内でアドレス駆動回路モジュールを利用したアドレス期間の間のスイッチのオン/オフタイミングとパネルキャパシター（Ｃｐ）の出力波形を示すタイミング図及び波形図。
【図６】本発明の他の一つの実施形態によるプラズマディスプレイ装置の内でアドレス駆動回路モジュールの構成を示す図である。
【図７】本発明の他の一つの実施形態によるプラズマディスプレイ装置の内でアドレス駆動回路モジュールを利用したアドレス期間の間のスイッチのオン/オフタイミングとパネルキャパシター（Ｃｐ）の出力波形を示すタイミング図及び波形図。
【図８】本発明のまた他の一つの実施形態によるプラズマディスプレイ装置の内でアドレス駆動回路モジュールの構成を示す図。
【図９】本発明のまた他の一つの実施形態によるプラズマディスプレイ装置の内でアドレス駆動回路モジュールを利用したアドレス期間の間のスイッチのオン/オフタイミングとパネルキャパシター（Ｃｐ）の出力波形を示すタイミング図及び波形図。
【図１】
2007065674.tif 000003
【図２】
2007065674.tif 000004
【図３】
2007065674.tif 000005
【図４】
2007065674.tif 000006
【図５】
2007065674.tif 000007
【図６】
2007065674.tif 000008
【図７】
2007065674.tif 000009
【図８】
2007065674.tif 000010
【図９】
2007065674.tif 000011